(57)【要約】      （修正有）【課題】ディスク・ブレーキ盤の摩擦熱を有効にガイドするとともに、ブレーキをかける場合に挟持部材が作動し摩擦で発生する粒子を排除して、気流の乱れを低減することができるディスク・ブレーキを提供する。【解決手段】内ディスク盤１２と、外ディスク盤１１と、を含んでなり、内ディスク盤１２が、その周囲に複数の補助片１２１を形成し、該補助片１２１の末端が外ディスク盤１１の内側端縁部に接続し、外ディスク盤１１が、その周囲にブレーキ部１３を形成し、該ブレーキ部１３は表面に一以上の放熱槽１４を設けてなり、且つ、該放熱槽１４が表面に出口１４１を具えてなり、放熱槽１４の深さが出口１４１から内側に向けて浅く、幅が出口から内側に向けて狭くなる弧状に形成する。【選択図】図１
0003147831.tif 000002
【実用新案登録請求の範囲】
【請求項１】
内ディスク盤と、外ディスク盤と、を含んでなり、
該内ディスク盤が、その周囲に複数の補助片を形成し、該補助片の末端が外ディスク盤の内側端縁部に接続し、
該外ディスク盤が、その周囲にブレーキ部を形成し、該ブレーキ部は表面に一以上の放熱槽を設けてなり、且つ、該放熱槽が表面に出口を具えてなり、
該放熱槽の深さが出口から内側に向けて浅く、幅が出口から内側に向けて狭くなる弧状に形成することを特徴とするディスク・ブレーキ。
【請求項２】
前記放熱槽の出口が、外ディスク盤のブレーキ部の内側端縁部に設けられ、放熱槽が内側から外側に向けて浅く、幅が狭くなる弧状の放熱槽に形成することを特徴とする請求項１に記載のディスク・ブレーキ。
【請求項３】
前記放熱槽の出口が、外ディスク盤のブレーキ部の外側端縁部に設けられ、該放熱槽が外側から内側に向けて浅く、幅が狭くなる弧状の放熱槽に形成することを特徴とする請求項１に記載のディスク・ブレーキ。
【考案の詳細な説明】
【技術分野】
【０００１】
この考案は、ディスクブレーキに関し、特に車両にブレーキをかける場合に発生する摩擦熱を放熱することができるディスクブレーキに関する。
【背景技術】
【０００２】
車両のディスク・ブレーキは一般に、走行中の車両をの動きを停止することや、減速する場合などに広く使用されている。
【０００３】
その基本的な原理は摩擦力を利用したもので、回転移動、或いは滑動している車両の動きを制御して減速する。
【０００４】
よく知られているように、ディスク・ブレーキは、主に二つの対向するディスク・ブレーキ盤ユニットからなる。
【０００５】
それぞれのディスク・ブレーキ盤ユニットは、タイヤに摩擦を加えて回転を阻害し、その動きを制御する。
【０００６】
前述の摩擦を加えて回転を阻害し、動きを制御する課程によって、必ず高温が発生するとともに、冷温の変化が頻繁に発生する。
【０００７】
よって、冷温温度差によって、材質が変性し、使用寿命が短縮するなどの欠点が発生する。
【０００８】
このため、多くの車両製造業者及び、車両部品の製造業者はディスク・ブレーキに対する複数の放熱方法や構造を考案した。
【０００９】
そのうち、一般的な製品は、ディスク・ブレーキ盤の表面に複数の放熱孔を設けてなり、該放熱孔は、様々な形態で盤面に設けられる。
【００１０】
前述のディスク・ブレーキは、摩擦により発生する熱が集まることを緩和することができる。
【００１１】
しかしながら、車両にブレーキをかける場合、挟持部材が作動し、摩擦によって発生する粒子は、排除することができない。
【００１２】
よって、走行中の車両の場合、ディスク・ブレーキがタイヤの回転に合わせて回転し、放熱孔が気流を強烈に乱して干渉するため、車両の走行の安定性に影響を与える。
【考案の開示】
【考案が解決しようとする課題】
【００１３】
この考案は、ディスク・ブレーキ盤の摩擦熱を有効にガイドするとともに、ブレーキをかける場合に挟持部材が作動し摩擦で発生する粒子を排除して、気流の乱れを低減することができるディスク・ブレーキを提供することを課題とする。
【課題を解決するための手段】
【００１４】
そこで、本考案者は従来の技術に見られる欠点に鑑みて鋭意研究を重ねた結果、内ディスク盤と、外ディスク盤と、を含んでなり、
該内ディスク盤が、その周囲に複数の補助片を形成し、該補助片の末端が外ディスク盤の内側端縁部に接続し、
該外ディスク盤が、その周囲にブレーキ部を形成し、該ブレーキ部は表面に一以上の放熱槽を設けてなり、且つ、該放熱槽が表面に出口を具えてなり、
該放熱槽の深さが出口から内側に向けて浅く、幅が出口から内側に向けて狭くなる弧状に形成するディスク・ブレーキの構造によって課題を解決できる点に着眼し、かかる知見に基づいて本考案を完成させた。
【００１５】
以下、この考案について具体的に説明する。
請求項１に記載のディスク・ブレーキは、内ディスク盤と、外ディスク盤と、を含んでなり、
該内ディスク盤が、その周囲に複数の補助片を形成し、該補助片の末端が外ディスク盤の内側端縁部に接続し、
該外ディスク盤が、その周囲にブレーキ部を形成し、該ブレーキ部は表面に一以上の放熱槽を設けてなり、且つ、該放熱槽が表面に出口を具えてなり、
該放熱槽の深さが出口から内側に向けて浅く、幅が出口から内側に向けて狭くなる弧状に形成する。
【００１６】
請求項２に記載のディスク・ブレーキは、請求項１における放熱槽の出口が、外ディスク盤のブレーキ部の内側端縁部に設けられ、放熱槽が内側から外側に向けて浅く、幅が狭くなる弧状の放熱槽に形成する。
【００１７】
請求項３に記載のディスク・ブレーキは、請求項１における放熱槽の出口が、外ディスク盤のブレーキ部の外側端縁部に設けられ、該放熱槽が外側から内側に向けて浅く、幅が狭くなる弧状の放熱槽に形成する。
【考案の効果】
【００１８】
この考案によるディスク・ブレーキは、摩擦によって発生する熱や粒子を排除することができるため、車両の使用寿命を延長するという効果を有する。
【考案を実施するための最良の形態】
【００１９】
この考案は、ディスク・ブレーキ盤の摩擦熱を有効にガイドするとともに、ブレーキをかける場合に挟持部材が作動し摩擦で発生する粒子を排除して、気流の乱れを低減することができるディスク・ブレーキであって、内ディスク盤と、外ディスク盤と、を含んでなり、内ディスク盤が、その周囲に複数の補助片を形成し、該補助片の末端が外ディスク盤の内側端縁部に接続し、該外ディスク盤が、その周囲にブレーキ部を形成し、該ブレーキ部は表面に一以上の放熱槽を設けてなり、且つ、該放熱槽が表面に出口を具えてなり、該放熱槽の深さが出口から内側に向けて浅く、幅が出口から内側に向けて狭くなる弧状に形成するディスク・ブレーキの構造と特徴を詳述するために具体的な実施例を挙げ、図示を参照にして以下に説明する。
【実施例】
【００２０】
図１、図２、図２Ａは、この考案の構造、特性、及び実施形態を示したものである。
【００２１】
図面によれば、この考案のディスク・ブレーキのディスク・ブレーキ盤１は、内ディスク盤１２と、外ディスク盤１１とを含んでなる。
【００２２】
該内ディスク盤１２は、周囲に複数の補助片１２１を形成する。該補助片１２１は、末端が外ディスク盤１１の内側端縁部と接続する。
【００２３】
該外ディスク盤１１は、その周囲にブレーキ部１３を形成する。
【００２４】
該ブレーキ部１３は、表面に一以上の放熱槽１４を設ける。該放熱槽１４は、深さが出口１４１から内側に向けて浅くなり、幅が次第に狭くなる弧状の放熱槽１４に形成される。
【００２５】
車両にブレーキをかけると、ディスク・ブレーキのディスク・ブレーキ盤１は、放熱槽１４の内側と外側の深さと幅が異なるため、気流が発生する。
【００２６】
よって、ディスク・ブレーキ盤１が摩擦で発生した高熱を有効に排除することができる以外に、ブレーキをかけた場合に挟持部材が作動して摩擦で発生する粒子を排除することにも役立ち、気流が乱され、干渉されることを低減することができる。
【００２７】
該放熱槽は、設ける位置と形態とが以下の実施形態の範疇であればよい。
【００２８】
図３、図４、図４Ａは、この考案の放熱槽１４が、外ディスク盤１１を貫通していない状態に形成された実施形態を示したものである。
【００２９】
該放熱槽１４は、出口１４１が外ディスク盤１１のブレーキ部１３の外側端縁部に設けらる。該放熱槽１４は、外側から内側に向けて浅く、幅が狭くなる弧状の放熱槽１４に形成する。
【００３０】
図５、図５Ａは、この考案のディスク・ブレーキの放熱槽１４の出口１４１が外ディスク盤の内側端縁部に形成された実施形態を示したものである。
【００３１】
図面によれば、該放熱槽１４は、内側から外側に浅く、幅が狭くなる弧状の放熱槽１４に形成する。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３３】
【図１】この考案のディスク・ブレーキのディスク・ブレーキ盤を示した斜視図である。
【図２】図１に開示するディスク・ブレーキ盤を示した平面図である。
【図２Ａ】図２に開示するディスク・ブレーキ盤をＡ−Ａで切断した状態を示した断面図である。
【図３】この考案のディスク・ブレーキの他の実施形態を示した説明図である。
【図４】図３に開示するディスク・ブレーキの他の実施形態を示した平面図である。
【図４Ａ】図４に開示するディスク・ブレーキの他の実施形態をＡ−Ａで切断した状態を示した断面図である。
【図５】この考案のディスク・ブレーキのその他の実施形態を示した説明図である。
【図５Ａ】図５に開示するディスク・ブレーキのその他の実施形態をＡ−Ａで切断した状態を示した断面図である。
【符号の説明】
【００３４】
１       ディスク・ブレーキ盤
１１     外ディスク盤
１２     内ディスク盤
１２１   補助片
１３     ブレーキ部
１４     放熱槽
１４１   出口
【図１】
0003147831.tif 000003
【図２】
0003147831.tif 000004
【図２Ａ】
0003147831.tif 000005
【図３】
0003147831.tif 000006
【図４】
0003147831.tif 000007
【図４Ａ】
0003147831.tif 000008
【図５】
0003147831.tif 000009
【図５Ａ】
0003147831.tif 000010